(57)【要約】システムは、記録可能媒体（５０）と、記録可能媒体上に番組を記録する記録装置を有する。記録可能媒体は、記録された検索命令（５１）を有する。記録装置は、受信可能な番組を受信する受信器（１０）と、記録された検索命令を受信可能な番組（ＩＳ）に関する番組情報（ＩＲＰ）と比較し、受信可能な番組のうちの特定の１つが記録された検索命令と一致する場合にのみ、受信可能な番組のうちの特定の１つを記録可能媒体上に記録する比較器（３０）を有する。
2006510286.tif 000002
【特許請求の範囲】
【請求項１】
記録可能媒体と、該記録可能媒体上に番組を記録する記録装置とを有し、該記録可能媒体は、記録された検索命令を有する、システムであって、
前記記録装置は、受信可能な番組を受信する受信器と、前記受信可能な番組のうちの特定の１つが前記記録された検索命令と一致する場合にのみ、前記受信可能な番組のうちの前記特定の１つを前記記録可能媒体上に記録するよう前記記録された検索命令を前記受信可能な番組に関する番組情報と比較する比較器を有する、システム。
【請求項２】
前記記録された検索命令は、前記記録可能媒体上に記録されるべき特定の番組タイプの指示を有する請求項１記載のシステム。
【請求項３】
請求項１に記載のシステムに使用する記録装置であって、
前記記録装置は、
受信可能な番組を受信する受信器と、
前記受信可能な番組のうちの特定の１つが、記録可能媒体上に記録された検索命令と一致する場合にのみ、前記受信可能な番組のうちの前記特定の１つを前記記録可能媒体上に記録するよう前記検索命令を前記受信可能な番組に関する番組情報と比較する比較器と、
を有する記録装置。
【請求項４】
前記記録された検索命令は、前記記録可能媒体上に記録されるべき特定の番組タイプの指示を有する請求項３記載の記録装置。
【請求項５】
前記比較器に前記番組情報を供給するよう前記受信可能な番組のタイプ及び発生時間を示す前記番組情報を受信する情報受信器を更に有する請求項４記載の記録装置。
【請求項６】
前記情報受信器は、前記番組情報を有するテレテキストページを走査するテレテキスト受信器を有する請求項５記載の記録装置。
【請求項７】
前記記録可能媒体上の依然としてフリーの空間が、前記特定の番組タイプに一致する前記受信可能な番組を記録するのに十分であるか否かを確認し、十分である場合に、前記一致する番組を前記フリーの空間内に記録し、又は、前記一致する番組を記録するために十分な空間をフリーするために少なくとも１つの既に記録された番組を削除する制御器を更に含む請求項３記載の記録装置。
【請求項８】
前記少なくとも１つの既に記録された番組は、最初に記録された記録番組を有する請求項７記載の記録装置。
【請求項９】
前記記録装置は、光媒体上に番組を記録するレコーダであって、
前記番組は、ＴＶブロードキャスト番組である請求項３記載の記録装置。
【請求項１０】
前記記録装置は、ＤＶＤレコーダである請求項３記載の記録装置。
【請求項１１】
前記記録可能媒体は、リムーバブル記録可能媒体であり、
前記記録装置は更に、更なる記憶媒体を有し、
前記比較器は、前記記録された番組のうちの特定の１つが前記記録された検索命令と一致する場合にのみ、前記記録された番組のうちの前記特定の１つを前記記録可能媒体上に記録するよう前記記録された検索命令を、前記更なる記憶媒体上に記録された番組に関する番組情報と更に比較するよう適応される請求項１記載の記録装置。
【請求項１２】
記録された検索命令を有する、請求項１に記載のシステムに使用する記録可能媒体。
【請求項１３】
前記記録された検索命令は、前記記録可能媒体上に記録されるべき特定の番組タイプの指示を有する請求項１２記載の記録可能媒体。
【請求項１４】
前記記録可能媒体は更に、前記記録された検索命令を示す可視マークを有する請求項１２記載の記録可能媒体。
【請求項１５】
前記可視マークは、前記記録されるべき特定の番組タイプを示すテキスト及び／又はイメージラベルを有する請求項１３記載の記録可能媒体。
【請求項１６】
記録された検索命令を有する記録可能媒体上に番組を記録する方法であって、
受信可能な番組を受信する段階と、
前記受信可能な番組のうちの特定の１つが前記記録された検索命令と一致する場合にのみ、前記受信可能な番組のうちの前記特定の１つを前記記録可能媒体上に記録するよう前記記録された検索命令を前記受信可能な番組に関する番組情報と比較する段階と、
を有する方法。
【請求項１７】
前記記録可能媒体から前記記録された検索命令を読み出しする段階を更に有し、
前記記録された検索命令は、特定の番組タイプの指示を有し、
前記番組情報は、前記受信可能な番組のタイプの指示を有する請求項１６記載の方法。
【発明の詳細な説明】
【技術分野】
【０００１】
本発明は、記録可能媒体と該記録可能媒体上に番組を記録する記録装置とを有するシステム、そのようなシステムに使用する記録装置、そのようなシステムに使用する記録可能媒体、及び記録方法に係る。
【０００２】
本発明は特に、ＤＶＤレコーダに関連する。
【背景技術】
【０００３】
米国特許第６，２４３，３５３号は、特定の番組を記録するための専用光学ディスクを開示する。記録予約を行うのに必要な記録予約情報は、例えば、番組名、記録期間、記録時間、週情報、及びチャネル情報といった様々な情報要素を有する。記録予約情報は、光学ディスク上に書き込みされる。これは、かなり柔軟性のないアプローチであって、この特定の番組は、示された時間間隔の間に、示されたチャネルで毎日又は毎週記録されるだけである。この従来技術のアプローチは、ユーザが、特定の番組が利用可能となる全てのチャネルと、その特定の番組が各チャンネルにおいて利用可能となる各時間を考慮に入れながら大量の記録予約情報を与えない限り、その特定の番組が送信された時間、及びその特定の番組が送信されるチャネル又は媒体に関係なくその番組を記録すること可能にしない。
【発明の開示】
【発明が解決しようとする課題】
【０００４】
本発明は、特定の番組タイプを、この特定の番組タイプを記録する専用記録媒体上に記録するためにユーザが与える記録予約情報が少なくて済むレコーダを提供することを目的とする。
【課題を解決するための手段】
【０００５】
本発明の第１の面は、請求項１に記載する記録可能媒体及び記録装置を有するシステムを提供する。本発明の第２の面は、請求項３に記載する記録装置を提供する。本発明の第３の面は、請求項１２に記載する記録可能媒体を提供する。本発明の第４の面は、請求項１６に記載する記録方法を提供する。有利な実施例は、従属項に記載する。
【０００６】
本発明のシステムは、記録可能媒体及び記録装置を有する。
【０００７】
検索命令は、記録可能媒体上に記録される。
【０００８】
記録装置は、複数の番組を受信可能な受信器を有する。通常、受信器は、複数の番組のうちの１つを一度に受信可能である。受信可能な番組は、受信器が受信可能な全ての番組又は全ての番組のサブセットである。例えば、番組が、ＴＶチャネルの高周波帯を形成するよう高頻度搬送波上で変調されるＴＶブロードキャストである場合、受信可能な番組は、受信器が受信可能であるチャネルにおいて利用可能な番組である。通常、受信器は、ＴＶチャネルのうちの１つを一度に受信可能であるが、別の例として、複数の番組が、デジタルデータストリーム内に含まれてもよい。データストリームは、時間的に連続的に高レートで、又は、短いインタリーブパケットとして様々な番組を提供し得る。
【０００９】
記録装置は更に、受信可能な番組に関する番組情報を、記録可能媒体上に記録された検索命令と比較する比較器を有する。例えば、受信器は、ＴＶチャネルを循環的に選択し、また、各選択されたＴＶチャネルに対し番組情報を取出しすることによって、１つずつ、検索基準に基づいて受信可能な番組を確認する。別の例では、受信可能なチャネルに関する番組情報は、特定のＴＶチャネル上か又はデータストリーム中にある。
【００１０】
比較器が、特定の番組の番組情報が、記録装置内の記録可能媒体上に記録された検索基準と一致することを検出すると、この特定の番組は、記録可能媒体上に記録される。番組情報が検索基準に一致しない番組は、記録可能媒体上に記録されない。
【００１１】
請求項２に記載される実施例では、記録可能媒体は、この特定の記録可能媒体上に記録されるべき特定の番組タイプの記録された指示を有する。比較器は、受信可能な番組のうちの１つが、記録されるべき特定の番組タイプと一致するか否かを検出する。比較器は、受信可能な番組のうちの１つが記録されるべき特定の番組タイプと一致する場合のみに、受信可能な番組のうちの１つを記録媒体上に記録するよう記録ユニットを制御する。
【００１２】
例えば、請求項２に記載のシステムの実施例の動作を説明するためだけに、記録装置は、ＴＶブロードキャスト番組を受信するチューナを有するＤＶＤレコーダであると仮定する。まず、ユーザは、検索基準がその上に記録された記録可能又は書き換え可能ＤＶＤディスクを挿入しなければならない。例えば、このディスクは、新しいディスクとして、ユーザによってラベル付けされる。ディスク上の記録された情報は、記録されるべき番組タイプはニュースであることのみを示す。従って、ディスク上には、その番組が発生する時間又はチャンネルについての情報はない。レコーダは、記録されるべきその番組タイプが、受信可能な番組にあるか否かを検索しなければならない。例えば、テレテキスト（欧州において広く知られ、米国において更にクローズキャプションとしても知られ、ＴＸＴと示す）情報を確認する。番組情報は更に、ＤＶＢにおける特定番組向け情報、ジェムスター（Gemstar）番組情報、ネクストビュー（Nextview）、又はクローズキャプションの拡張データサービスとして入手可能である。
【００１３】
レコーダは、番組が発生するチャネル又は時間に関係なく、ここでは、ニュースである特定のタイプであると検出された全ての番組を自動的に記録する。ユーザは、特定のタイプの情報を記録する際の最大の柔軟性を得るために最小限の努力を行わなければならない。更に、記録媒体の管理は、この特定の記録媒体には、特定の番組タイプを示す固定のラベルを付けることが可能であるので非常に簡単である。
【００１４】
米国特許第６，２１２，３２７号は、選択されたＴＶチャネルの現在のコンテンツを有し得る情報ストリームを受信するコンピュータを開示する。コンピュータは、ユーザによって、情報ストリームにおけるその記述が「カーリー・グラント」又は「バスケットボール」といったキーワードを有する番組を記録するよう命令され得る。コンピュータは、データストリームの中を、これらのユーザによって選択されたキーワードを見つけるべく探す。そのようなキーワードが見つかると、コンピュータは、そのキーデータアイテムに関連付けられる番組を記録するよう記録／再生装置を制御するための命令を作成する。次に、コンピュータは、その関連付けられる番組の開始時刻まで待ち、その番組の記録を開始するよう別個の構成される記録／再生装置にＩＲコマンドを送信する。番組の終了時刻に到達すると、コンピュータは、記録を停止するよう記録／再生装置にＩＲコマンドを送信する。コンピュータは、サーバからのデータストリームから番組データを入手するか、又は、そのデータがその上に記録された記録可能媒体からのそのデータを入手し得る。
【００１５】
この従来技術は、記録／再生装置内にある記録媒体の管理に対処しない。記録媒体は、記録されるべき番組のタイプに関する記録された情報を有さないので、正しい記録媒体が記録／再生装置内に挿入されるためにはユーザの高い度合いの訓練が必要となる。特定の番組が記録されると、ユーザは、その特定の番組がその特定のディスク上に記録されていることを容易に識別可能であるべきである。このことは、記録媒体が、その上に多くの番組が連続的に記録可能である書き換え可能な媒体である場合に、特に重要である。更に、ユーザは、挿入したディスク上に十分なフリー空間が利用可能であるか否かを確認するべきである。十分にない場合、別のタイプの番組を削除して、特定のタイプの番組を記録することを可能にし得る。
【００１６】
米国特許第６，２４３，３５３号に開示される光ディスクは、レコーダが特定の番組を記録することを可能にするために必要とする完全な情報セット（番組名、タイトル、時間、日にち、チャンネル）である記録予約情報を有する。光ディスク上のデータは、検索命令ではなく、記録コマンドである。レコーダは、検索命令に一致する番組を検索するのではなく、単純に記録コマンドによって指示されるように番組を記録する。
【００１７】
請求項５に記載する実施例では、特定のＴＸＴページにおいて利用可能な番組データが使用される。これは、受信可能な番組に関する情報は、どの時間にどのチャンネル上で利用可能である番組のタイプに関する情報を得るためのインターネットを介する又は電話によるといった追加の接続を必要とせずに受信した番組から容易に抽出可能であるという利点を有する。
【００１８】
請求項６に記載する実施例では、記録可能媒体は、書き換え可能媒体である。十分なフリー空間がない場合、一番古い記録された番組は上書きされて、記録されるべき最新の番組のために十分な空間を作る。通常は、このことは問題ではない。何故なら、この特定の記録可能媒体は、１つの特定の番組の専用だからである。ユーザは、関連しない番組は失うことなく、また、ユーザは、一番古くに記録された番組は既に消費したか、又は、最新の番組のみに関心がある可能性が高い。
【００１９】
請求項１１に記載する実施例では、記録装置は更に、ハードディスク、半導体メモリ、テープ、又は番組を記録するのに適した任意の他の媒体であり得る更なる記録可能媒体を有する。リムーバブル記録可能媒体は、更なる記録可能媒体上に利用可能であるか又は受信した番組において利用可能であるうちから検索命令によって指示される番組を記録可能媒体上に記録するよう使用されることが可能である。このようにして、更なる記録可能媒体上に既に記録された、検索命令に一致する特定の番組も、リムーバブル媒体上に記録される。このようなリムーバブル媒体は、特定のタイプの記録された番組を別の場所に持ち運ぶことを可能にする。
【００２０】
請求項１２に記載する実施例では、記録可能媒体には、記録可能媒体上に記録された検索命令を示す可視マークが付けられる。このことは、記録可能媒体上に記録される情報に応じてマーク付けされる記録可能媒体を販売することを可能にする。各媒体が別の番組タイプを記録し、各媒体は記録されるべき番組のタイプに応じて視覚的にマーク付けされる記録可能媒体のセットを販売することが特に興味深いであろう。例えば、そのようなセットは、ニュース、天気、フットボール、スポーツ全般、特定のドラマに対する記録可能媒体を有し得る。
【００２１】
特に、目に見えるようにマーク付けすることは、番組のタイプをイメージで表すことを有する。
【００２２】
ユーザは、ユーザの記録物を管理する容易な方法を有する。ユーザは、単純に、関心の番組タイプのマーク付けがされた記録可能媒体を挿入し、記録装置は、このタイプの番組を、この記録可能媒体が記録装置内に挿入されている限り、記録する。
【００２３】
ユーザが、書き換え不可の媒体を挿入する場合、ユーザは、現在挿入された記録媒体に十分なフリー空間がないときは、同じタイプの別の記録媒体を挿入しなければならない。レコーダは、この場合、ユーザに警告することが好適である。
【００２４】
ユーザが、書き換え可能な媒体を挿入する場合、ユーザは、前に記録された番組を上書きしてよいか否かを指示し得る。上書きしてよくない場合は、書き換え不可の媒体の同じ手順が行われ得る。上書きしてよい場合は、ディスクは、前の記録された番組に自動的に上書きし、また、従って、最近に受信された特定のタイプの番組を有することになる。通常は、これで前の記録された番組を既に消費したユーザのニーズを満足する。
【発明を実施するための最良の形態】
【００２５】
本発明のこれらの及び他の面は、以下に説明する実施例を参照して明らかとしまた説明する。
【００２６】
様々な図面における同じ参照は、同じ信号、又は同じ機能を実行する同じ素子を示す。
【００２７】
図１は、本発明の記録装置の実施例を示すブロック図である。記録装置は、受信器１０、記録ユニット２０、及び比較器又は検出器３０を有する。
【００２８】
受信器１０は、受信可能な番組がその中にある入力信号ＩＳを受信する入力と、レコーダユニット２０における記録のためにデータＷＤＡが利用可能となる出力を有する。入力信号ＩＳが、アンテナ（地上又は衛星）から利用可能となる又はケーブルシステムにおける高頻度テレビジョンバンドを有する場合、受信器１０は、そのバンドにおける特定のチャネルにおける所望の番組を取出しするチューナを有する。入力信号ＩＳは更に、インターネット上で利用可能であり、例えば、特定のサーバによって生成されるデータストリームであってもよい。受信器１０は、受信可能な番組に関する情報ＩＲＰを供給する。図１に示す本発明の実施例では、この情報は、入力信号ＩＳから直接か又はチューナを介して取出しされる。この第１の状況では、入力信号ＩＳ内に、その入力信号ＩＳにおいて利用可能な全ての番組を示す付加情報があり得る。例えば、特別なブロードキャストチャネルを用いてこの情報が運ばれてもよい。専用チューナが、この情報を取出ししてもよい。更に、既存のチューナを制御して、利用可能な番組のタイプを確認するよう全ての利用可能なチャネルを循環してもよい。
【００２９】
レコーダユニット２０は、記録媒体から、そのレコーダ装置内にある特定の記録媒体上に記録されるべき番組のタイプを示す記録された情報ＲＤＡを読み出す。
【００３０】
検出器３０は、記録された情報ＲＤＡと、受信可能な番組に関する情報ＩＲＰを受信し、受信可能な番組のうちの１つが、記録されるべき番組のタイプに一致するか否かを確認する。一致する場合には、番組は、記録可能媒体上に記録される。一致しない場合は、番組は記録されない。
【００３１】
例えば、特定の番組タイプは、「ニュース」、「サッカー」又は、特定のドラマのより具体的な名前であり得る。
【００３２】
図２は、本発明の記録装置の実施例を示すブロック図である。この記録装置の実施例は、図１の実施例とは、記録装置は更に、情報受信器４０を有し、また、記録ユニット２０は、その中に光ディスク５０が挿入可能である光学ドライブである点で異なる。光ディスク５０上には、このディスク５０上に記録されるべき特定の番組タイプを示す情報５１が記録される。
【００３３】
情報受信器４０は、例えば、テレテキスト情報ＴＸＴＩを用いて入力信号ＩＳ内の利用可能な番組のタイプについての情報を取出しする。受信器１０のチューナは、受信可能な全てのチャネルのＴＸＴ情報ＴＸＴＩがある特別なチャネルを受信するよう制御される。このＴＸＴ情報ＴＸＴＩは、どの時間にどのチャネルで利用可能である番組のタイプを示す正しいフォーマットに既にあり得る。或いは、受信器１０のチューナは、利用可能な番組のタイプについての情報及び番組が利用可能となる時間について、既にチャネルにあるＴＸＴ情報ＴＸＴＩを確認するよう受信可能である全チャネルを走査するよう制御される。タイミング情報の取出しは選択的に行われ得、検出された番組のタイプが記録可能媒体５０上に示される特定の番組タイプと一致するときにのみ行われ得る。
【００３４】
図３は、本発明の記録装置の実施例を示すブロック図である。図３は、図２とは、情報受信器４０が、別個のデータストリームＤＳからどの番組がいつ利用可能になるか（及び、適用可能であるならば、どのチャンネルで利用可能となるか）についての情報を受信する情報受信器４００により置換される点で異なる。別個のデータストリームＤＳは、インターネット又は電話を介してサーバによって生成される。
【００３５】
図４は、本発明の記録装置の実施例を示すブロック図である。図４は、図１とは、記録装置は更に、記録可能媒体５０の依然としてフリーの空間は特定の番組タイプ５１に一致する受信可能な番組を記録するのに十分であるか否かを確認する制御器６０を有する点で異なる。制御器６０は、記録媒体５０上のファイルを管理するようレコーダユニット２０に制御信号ＣＯを供給する。一致する番組は、十分である場合に、フリー空間に記録される。又は、一致する番組は、少なくとも１つの既に記録された番組上に記録される。前に記録した番組の一部分のみを削除することも可能である。
【００３６】
図５は、光ディスク５０上に記録された検索基準５１に対応するテキスト及びイメージラベル５２が付けられた光ディスク５０を示す。
【００３７】
図６は、更なる記録可能媒体７１がある、本発明の記録装置の実施例を示すブロック図である。この記録装置の実施例は、図２の実施例とは、記録装置が更に、更なる記録可能媒体７１上に番組を記録することが可能である更なる記録ユニット７０を有する点で異なる。更なる記録ユニット７１は、データＷＤＡを受信し、記録された情報ＲＤＡ２を検出器３０に供給する。記録ユニット５０は記録された情報ＲＤＡ１を検出器３０に供給する。
【００３８】
通常、この更なる記録ユニット７０は、ノンリムーバブル記録媒体を使用し、また、通常、かなりの番組量を記録可能である。更なる記録ユニット７０は、例えば、ハードディスク、テープレコーダ、又は光ディスク上に情報を格納する光ドライブである。このような記録装置は、例えばＴＶブロードキャストといったビデオ番組を格納するのに特に向いている。
【００３９】
図２に対する更なる違いは、情報受信器４０が、テレテキスト情報ＴＸＴＩとは異なり得る利用可能な情報ＰＩに基づいて入力信号ＩＳから番組情報を取出しすることである。
【００４０】
尚、上述した実施例は、本発明を説明するものであって、制限するものではない。当業者は、請求項の範囲から逸脱することなく多くの別の実施例を設計可能であろう。
【００４１】
図面に関して、記録可能媒体上には、その特定の記録可能媒体上に記録されるべき番組のタイプを示す指示が記録されるが、より一般的な実施例では、別の検索基準が記録されてもよい。記録装置は、この検索基準に一致する受信可能な番組を検索するであろう。
【００４２】
検索基準は、番組タイプの指示とは異なり得、例えば、特定のカラーがある又は特定のカラーが大部分を示す全ての番組、又は、音楽を含む番組であり得る。
【００４３】
検索基準は、幾つかの基準のブーリアン関数であり得る。
【００４４】
検索基準に一致する受信可能な番組の検索は、番組は連続的に検索され、一致する番組が見つかる瞬間にその番組は記録されるという点で瞬間的であり得る。更に、番組情報は更に、番組のタイプ以外に、その番組が開始及び終了する将来における時間を有する。記録装置は、一致する番組についてのタイミング情報を格納し、その将来の瞬間において番組を開始し得る。
【００４５】
番組は、データ圧縮無し又は有りで記録され得る。データ圧縮は使用されることが好適である。ビデオ番組は、ＭＰＥＧ規格のうちの１つに基づき得る。
【００４６】
請求項において、括弧内の任意の参照符号は、その請求項を制限すると解釈すべきではない。「有する」という用語は、請求項において列挙される素子又は段階以外の素子又は段階が存在することを排除するものではない。本発明は、幾つかの別個の素子を有するハードウェア、及び、好適にプログラムされたコンピュータによって実施されることが可能である。幾つかの手段を列挙する装置の請求項において、これらの手段のうちの幾つかは、全く同一のハードウェアによって具現化されることが可能である。特定の手段が、相互に異なる従属請求項に記載されるという事実は、これらの手段を有利に組み合わせて使用することができないことを示すものではない。
【図面の簡単な説明】
【００４７】
【図１】本発明の記録装置の１つの実施例を示す図である。
【図２】本発明の記録装置の１つの実施例を示す図である。
【図３】本発明の記録装置の１つの実施例を示す図である。
【図４】本発明の記録装置の１つの実施例を示す図である。
【図５】光ディスク上に記録された検索基準に対応するテキスト及びイメージラベルが設けられた光ディスクを示す図である。
【図６】更なる記録可能媒体がある本発明の記録装置の１つの実施例を示す図である。
【図１】
2006510286.tif 000003
【図２】
2006510286.tif 000004
【図３】
2006510286.tif 000005
【図４】
2006510286.tif 000006
【図５】
2006510286.tif 000007
【図６】
2006510286.tif 000008
【国際調査報告】
2006510286.tif 000009
2006510286.tif 000010